(57)【特許請求の範囲】
【請求項１】
情報を送信する宛先を示す宛先情報を記憶する記憶手段と、 
前記宛先情報を入力するための入力手段と、 
前記記憶手段に記憶された宛先情報を削除する編集が行われたときに、編集前の宛先情報を記憶するように制御する制御手段と、 
前記入力手段から入力された宛先情報と前記編集前の宛先情報とが一致するときに、前記入力された宛先情報が削除されたものであることを報知する情報を表示し、かつ、前記入力された宛先情報が示す宛先を前記情報を送信する宛先とする処理、及び前記入力された宛先情報を取り消す処理の中からいずれかをユーザによって選択させるための画面を表示する表示手段と、
前記表示手段によって表示された処理のうち、ユーザによって選択された処理を実行する実行手段と、 
を含む情報送信装置。
【請求項２】
情報を送信する宛先を示す宛先情報を記憶する記憶手段と、 
前記宛先情報を入力するための入力手段と、 
前記記憶手段に記憶された宛先情報を変更する編集が行われたときに、編集前の宛先情報と、編集後の宛先情報とを対応づけて記憶するように制御する制御手段と、 
前記入力された宛先情報と前記編集前の宛先情報とが一致するときに、前記入力された宛先情報が示していた宛先の宛先情報は変更された旨を報知する情報を表示し、かつ、前記入力された宛先情報が示す宛先を前記情報を送信する宛先とする処理、前記編集前の宛先情報と対応付けられて記憶された編集後の宛先情報が示す宛先を前記情報を送信する宛先とする処理、及び前記入力手段から入力された宛先情報を取り消す処理の中からいずれかをユーザによって選択させるための画面を表示する表示手段と、
前記表示手段によって表示された処理のうち、ユーザによって選択された処理を実行する実行手段と、 
を含む情報送信装置。
【請求項３】
前記記憶手段の記憶内容を表示するように制御する表示制御手段を更に含む請求項１または請求項２記載の情報送信装置。
【請求項４】
コンピュータを
情報を送信する宛先を示す宛先情報を記憶する記憶手段に記憶された宛先情報を削除する編集が行われたときに、編集前の宛先情報を記憶するように制御する制御手段、並びに
前記宛先情報を入力するための入力手段から入力された宛先情報と前記編集前の宛先情報とが一致するときに、前記入力手段から入力された宛先情報が示す宛先を前記情報を送信する宛先とする処理及び前記入力手段から入力された宛先情報を取り消す処理の中からユーザによって選択された処理を実行する実行手段
として機能させるためのプログラム。
【請求項５】
コンピュータを
情報を送信する宛先を示す宛先情報を記憶する記憶手段に記憶された宛先情報を変更する編集が行われたときに、編集前の宛先情報と、編集後の宛先情報とを対応づけて記憶するように制御する制御手段、並びに
前記宛先情報を入力するための入力手段から入力された宛先情報と前記編集前の宛先情報とが一致するときに、前記入力手段から入力された宛先情報が示す宛先を前記情報を送信する宛先とする処理、前記編集前の宛先情報と対応付けられて記憶された編集後の宛先情報が示す宛先を前記情報を送信する宛先とする処理及び前記入力手段から入力された宛先情報を取り消す処理の中からユーザによって選択された処理を実行する実行手段
として機能させるためのプログラム。
【発明の詳細な説明】
【技術分野】
【０００１】
本発明は、情報送信装置、及びプログラムに関する。
【背景技術】
【０００２】
従来、短縮番号を用いてＦＡＸ送信処理を行う際に、最後にこの短縮番号を用いてＦＡＸ送信処理を行った後に、この短縮番号に対応する登録内容が編集されていた場合には、登録内容が編集されていることをユーザに通知する技術が知られている（例えば、特許文献１参照）。
【特許文献１】特開２００６−２２９８６９号公報
【発明の開示】
【発明が解決しようとする課題】
【０００３】
本発明は、過去に宛先表に登録されていた宛先であって、編集されて現在宛先表に登録されていない宛先をユーザが入力した場合に、適切な処理を施すことができる情報送信装置及びプログラムを提供することを目的とする。
【課題を解決するための手段】
【０００４】
上記目的を達成するために、請求項１に記載の発明の情報送信装置は、情報を送信する宛先を示す宛先情報を記憶する記憶手段と、前記宛先情報を入力するための入力手段と、前記記憶手段に記憶された宛先情報を削除する編集が行われたときに、編集前の宛先情報を記憶するように制御する制御手段と、前記入力手段から入力された宛先情報と前記編集前の宛先情報とが一致するときに、前記入力された宛先情報が削除されたものであることを報知する情報を表示し、かつ、前記入力された宛先情報が示す宛先を前記情報を送信する宛先とする処理、及び前記入力された宛先情報を取り消す処理の中からいずれかをユーザによって選択させるための画面を表示する表示手段と、前記表示手段によって表示された処理のうち、ユーザによって選択された処理を実行する実行手段と、 を含んで構成されている。
【０００５】
上記目的を達成するために、請求項２に記載の発明の情報送信装置は、情報を送信する宛先を示す宛先情報を記憶する記憶手段と、前記宛先情報を入力するための入力手段と、前記記憶手段に記憶された宛先情報を変更する編集が行われたときに、編集前の宛先情報と、編集後の宛先情報とを対応づけて記憶するように制御する制御手段と、前記入力された宛先情報と前記編集前の宛先情報とが一致するときに、前記入力された宛先情報が示していた宛先の宛先情報は変更された旨を報知する情報を表示し、かつ、前記入力された宛先情報が示す宛先を前記情報を送信する宛先とする処理、前記編集前の宛先情報と対応付けられて記憶された編集後の宛先情報が示す宛先を前記情報を送信する宛先とする処理、及び前記入力手段から入力された宛先情報を取り消す処理の中からいずれかをユーザによって選択させるための画面を表示する表示手段と、前記表示手段によって表示された処理のうち、ユーザによって選択された処理を実行する実行手段と、 を含んで構成されている。
【０００６】
請求項３に記載の発明の情報送信装置は、前記記憶手段の記憶内容を表示するように制御する表示制御手段を更に含むようにしたものである。
【０００７】
上記目的を達成するために、請求項４に記載の発明のプログラムは、コンピュータを情報を送信する宛先を示す宛先情報を記憶する記憶手段に記憶された宛先情報を削除する編集が行われたときに、編集前の宛先情報を記憶するように制御する制御手段、並びに前記宛先情報を入力するための入力手段から入力された宛先情報と前記編集前の宛先情報とが一致するときに、前記入力手段から入力された宛先情報が示す宛先を前記情報を送信する宛先とする処理及び前記入力手段から入力された宛先情報を取り消す処理の中からユーザによって選択された処理を実行する実行手段として機能させる。
【０００８】
上記目的を達成するために、請求項５に記載の発明のプログラムは、コンピュータを
情報を送信する宛先を示す宛先情報を記憶する記憶手段に記憶された宛先情報を変更する編集が行われたときに、編集前の宛先情報と、編集後の宛先情報とを対応づけて記憶するように制御する制御手段、並びに前記宛先情報を入力するための入力手段から入力された宛先情報と前記編集前の宛先情報とが一致するときに、前記入力手段から入力された宛先情報が示す宛先を前記情報を送信する宛先とする処理、前記編集前の宛先情報と対応付けられて記憶された編集後の宛先情報が示す宛先を前記情報を送信する宛先とする処理及び前記入力手段から入力された宛先情報を取り消す処理の中からユーザによって選択された処理を実行する実行手段として機能させる。
【発明の効果】
【００１０】
請求項１、請求項２、請求項４、及び請求項５の各発明によれば、過去に宛先表に登録されていた宛先情報であって、編集されて現在宛先表に登録されていない宛先情報をユーザが入力した場合に、適切な処理を施すことができる、という効果が得られる。 
【００１１】
請求項１、請求項２、請求項４、及び請求項５の各発明によれば、複数の処理の中からユーザによって選択された処理を実行することができる、という効果が得られる。 
【００１２】
請求項３の発明によれば、編集前の宛先情報をユーザが確認することができる、という効果が得られる。 
【発明を実施するための最良の形態】
【００１３】
以下、図面を参照して、本発明の実施の形態を詳細に説明する。
【００１４】
図１に示すように、本実施の形態に係る情報送信装置としての複合機１０は、ユーザインタフェース（Ｕ／Ｉ）１２と、スキャナ１４と、画像形成部１６と、電話回線２２に接続されたＦＡＸ部１８と、制御装置２０と、ネットワーク２６に接続されたネットワークインタフェース（Ｉ／Ｆ）２４とを備えている。
【００１５】
Ｕ／Ｉ１２は、ユーザからの指示等を入力するためのタッチパネル及び入力された情報に基づいた表示や警告表示等を行うＬＣＤ等を備えた表示装置を含んで構成されている。
【００１６】
スキャナ１４は、原稿台ガラス（図示せず）上に配置された文書を読み取ることにより、文書に形成された画像の画像データを出力する。
【００１７】
画像形成部１６は、スキャナ１４から入力された画像データ、ＦＡＸ部１８から入力された画像データ、又はネットワークインタフェース２４を介して入力された画像データに基づいて、画像形成媒体（例えば、用紙）に画像を形成する。
【００１８】
ＦＡＸ部１８は、ファクシミリ機能を備えており、スキャナ１４から入力された画像データを電話回線２２を介して送信すると共に、電話回線２２を介して送信元からの画像データを受信する。
【００１９】
制御装置２０は、ＯＳ等の基本プログラムが記憶された記憶媒体としてのＲＯＭ２０ａ、詳細を以下で説明する制御処理の処理ルーチンを実行するためのプログラム、ＦＡＸ番号変更／削除処理等の編集処理の処理ルーチンを実行するためのプログラム、ＦＡＸ送信処理の処理ルーチンを実行するためのプログラム、各種処理ルーチンを実行するためのプログラム、ＦＡＸ番号変更／削除処理制御フラグ、変更用テーブル、削除テーブル、並びに宛先表が記憶された記憶媒体としてのＨＤＤ２０ｂ、プログラムをＲＯＭ２０ａ及びＨＤＤ２０ｂから読み出して実行するＣＰＵ２０ｃ、各種データを一時的に記憶するＲＡＭ２０ｄ、並びにＩ／Ｏポート２０ｅ等を含んで構成されたマイクロコンピュータで構成されている。
【００２０】
ここで、ＨＤＤ２０ｂに記憶されている宛先表について図２（Ａ）を用いて説明する。同図に図示するように、宛先表３４は、ファクス送信を行う際にユーザによって指定される短縮番号又はＦＡＸ番号毎にレコード３１が登録されている。レコード３１は、短縮番号が登録されるフィールド３０、及び情報を送信する宛先を示す宛先情報としてのＦＡＸ番号が登録されるフィールド３２を備えている。なお、宛先表３４に登録された短縮番号及びＦＡＸ番号は、ユーザがＵ／Ｉ１２を介して、削除や変更等の編集が可能になっている。
【００２１】
ＲＯＭ２０ａ、ＨＤＤ２０ｂ、ＣＰＵ２０ｃ、ＲＡＭ２０ｄ、及びＩ／Ｏポート２０ｅは互いにバス２０ｆで接続されている。Ｉ／Ｏポート２０ｅには、Ｕ／Ｉ１２、スキャナ１４、画像形成部１６、ＦＡＸ部１８、及びネットワークインタフェース２４が接続されている。
【００２２】
次に、複合機１０の制御装置２０のＣＰＵ２０ｃが実行する制御処理の処理ルーチンについて図３を用いて説明する。なお、本実施の形態において、この制御処理は、複合機１０のスイッチ（図示せず）がオンされることにより所定時間間隔（例えば、数１０ｍｓｅｃ）毎に実行される。
【００２３】
まず、ステップ１００で、指示を受信したか否かを判定し、指示を受信したと判定された場合には、次のステップ１０２で、受信した指示が、宛先表３４のフィールド３２に登録されたＦＡＸ番号を編集するＦＡＸ番号変更／削除処理を実行するための指示であるのか、それとも画像データをＦＡＸ送信するＦＡＸ送信処理を実行するための指示であるのかを判定する。なお、ＦＡＸ番号を変更するためにＦＡＸ番号変更／削除処理を実行するための指示をユーザがＵ／Ｉ１２から入力した場合には、この指示に加えて、ＦＡＸ番号を変更することを示す変更指示、変更後のＦＡＸ番号、変更されるＦＡＸ番号に対応する短縮番号がＵ／Ｉ１２から入力される。また、ＦＡＸ番号３２を削除するためにＦＡＸ番号変更／削除処理を実行するための指示をユーザがＵ／Ｉ１２から入力した場合には、この指示に加えて、ＦＡＸ番号を削除することを示す削除指示、削除されるＦＡＸ番号に対応する短縮番号がＵ／Ｉ１２から入力される。また、ＦＡＸ送信処理を実行するための指示をユーザがＵ／Ｉ１２から入力した場合には、この指示に加えて、Ｕ／Ｉ１２に表示された宛先表３４から指定した短縮番号又はＦＡＸ番号、またはユーザがＵ／Ｉ１２を操作して、宛先表３４を用いずに直接入力した場合のＦＡＸ番号が入力される。
【００２４】
ステップ１０２で、受信した指示が、ＦＡＸ番号変更／削除処理を実行するための指示であると判定された場合には、次のステップ１０４に進む。
【００２５】
ステップ１０４では、詳細を以下で説明するＦＡＸ番号変更／削除処理を実行する。
【００２６】
一方、ステップ１０２で、受信した指示が、ＦＡＸ送信処理を実行するための指示であると判定された場合には、次のステップ１０６に進む。
【００２７】
ステップ１０６では、詳細を以下で説明するＦＡＸ送信処理を実行する。
【００２８】
次に、ステップ１０４のＦＡＸ番号変更／削除処理の処理ルーチンについて図４を用いて説明する。
【００２９】
まず、ステップ２００で、予めＨＤＤ２０ｂに記憶されているＦＡＸ番号変更／削除処理制御フラグの値を読み込む。なお、ＦＡＸ番号変更／削除処理制御フラグは、１ビットのフラグであり、Ｕ／Ｉ１２をユーザが操作することにより値を設定することが可能である。本実施の形態では、宛先表に登録されたＦＡＸ番号の変更または削除が行われた場合に、その変更または削除の履歴を残したいときには、ユーザは、値を所定値、例えば０に設定する。また、宛先表に登録されたＦＡＸ番号の変更または削除が行われた場合に、その変更または削除の履歴を残したくないときには、ユーザは、値を所定値、例えば１に設定する。
【００３０】
次のステップ２０２では、ステップ２００で読み込んだＦＡＸ番号変更／削除処理制御フラグの値が１であるか否かを判定する。
【００３１】
ステップ２０２で、１であると判定された場合には、次のステップ２０４で、ＦＡＸ番号変更／削除処理を実行するための指示と共に受信した指示が変更指示であるのか、または削除指示であるのかを判定する。
【００３２】
ステップ２０４で、変更指示であると判定された場合には、次のステップ２０６で、ＨＤＤ２０ｂから宛先表３４を読み込んで、変更指示と共に受信した変更対象のＦＡＸ番号の短縮番号がフィールド３０に登録されたレコード３１を特定し、特定したレコード３１のフィールド３２に登録されたＦＡＸ番号を取得し、取得したＦＡＸ番号を変更前のＦＡＸ番号として、変更指示と共に受信した変更後のＦＡＸ番号、及び対応する短縮番号と共に変更用テーブルに記憶する。これにより、変更用テーブルには、変更前のＦＡＸ番号と変更後のＦＡＸ番号とが関連付けられて登録される。ここで、変更用テーブルについて、図２（Ｂ）を用いて説明する。同図に示すように、変更用テーブル４０には、短縮番号毎にレコード４１が登録される。レコード４１は、短縮番号が登録されるフィールド４２と、変更後のＦＡＸ番号が登録されるフィールド４４と、変更前のＦＡＸ番号が登録されるフィールド４６とを備えている。
【００３３】
次のステップ２０８では、ステップ２０６で特定されたレコード３１のフィールド３２に登録されたＦＡＸ番号を、変更指示と共に受信した変更後のＦＡＸ番号に置き換えることにより、宛先表３４に登録されているＦＡＸ番号を変更する変更処理を行う。そして、本ＦＡＸ番号変更／削除処理を終了する。
【００３４】
一方、ステップ２０４で、削除指示であると判定された場合には、次のステップ２１０で、ＨＤＤ２０ｂから宛先表３４を読み込んで、削除指示と共に受信した削除対象のＦＡＸ番号の短縮番号がフィールド３０に登録されたレコード３１を特定し、特定されたレコード３１のフィールド３２に登録されたＦＡＸ番号を取得し、取得したＦＡＸ番号を削除されたＦＡＸ番号として、対応する短縮番号と共に削除用テーブルに登録する。これにより、削除用テーブルには、削除されたＦＡＸ番号が登録される。ここで、削除用テーブルについて図２（Ｃ）を用いて説明する。同図に示すように、削除用テーブル５０には、短縮番号毎にレコード５１が登録される。レコード５１には、短縮番号が登録されるフィールド５２と、削除されたＦＡＸ番号５４とが登録される。
【００３５】
次のステップ２１２では、ステップ２１０で特定されたレコード３１のフィールド３２の登録内容をＮＵＬＬ値にすることにより、宛先表３４に登録されているＦＡＸ番号を削除する削除処理を行う。
【００３６】
一方、ステップ２０２で、１ではないと判定された場合には、次のステップ２１４に進む。ステップ２１４では、ＦＡＸ番号変更／削除処理を実行するための指示と共に受信した指示が変更指示である場合には、ステップ２０８の処理と同様に変更処理を行い、ＦＡＸ番号変更／削除処理を実行するための指示と共に受信した指示が削除指示である場合には、ステップ２１２の処理と同様に削除処理を行う。そして、本ＦＡＸ番号変更／削除処理を終了する。
【００３７】
次に、ステップ１０６のＦＡＸ送信処理の処理ルーチンについて図５を用いて説明する。
【００３８】
まず、ステップ３００で、ＦＡＸ送信処理を実行するための指示と共に、ユーザが直接入力したＦＡＸ番号を受信したか否かを判断する。この判断は、Ｕ／Ｉ１２からの信号に基づいて、Ｕ／Ｉ１２に表示された宛先表３４のフィールド３２に登録されたＦＡＸ番号がユーザによって指定された場合及び宛先表３４のフィールド３０に登録された短縮番号がユーザによって指定された場合には、ユーザが直接入力したＦＡＸ番号を受信していないと判断する。一方、Ｕ／Ｉ１２が操作されて、宛先表３４を用いずにＦＡＸ番号が入力された場合には、ユーザが直接入力したＦＡＸ番号を受信したと判断する。
【００３９】
ステップ３００で、ユーザが直接入力したＦＡＸ番号を受信していないと判断された場合には、次のステップ３０２へ進む。
【００４０】
次のステップ３０２では、指定されたＦＡＸ番号を用いて、または指定された短縮番号に対応するＦＡＸ番号を宛先表３４から取得し取得されたＦＡＸ番号を用いて、スキャナ１４から入力された画像データを電話回線２２を介してＦＡＸ送信するようにＦＡＸ部１８を制御する。そして本ＦＡＸ送信処理を終了する。
【００４１】
一方、ステップ３００で、ユーザが直接入力したＦＡＸ番号を受信したと判断された場合には、次のステップ３０４で、削除用テーブル５０の各レコード５１を検索して、受信したＦＡＸ番号と一致するＦＡＸ番号がフィールド５４に登録されているレコード５１が存在するか否かを判定する。
【００４２】
ステップ３０４で、レコード５１が存在すると判定された場合には、次のステップ３０６で、受信したＦＡＸ番号、すなわちユーザがＵ／Ｉ１２を操作して直接入力したＦＡＸ番号、及びこの入力したＦＡＸ番号を用いてＦＡＸ送信を行うのか、それとも入力したＦＡＸ番号を取り消してＦＡＸ送信を中止するのかを選択可能な画面がＵ／Ｉ１２に表示されるように、Ｕ／Ｉ１２のＬＣＤを制御する。そして、次のステップ３０８に進む。
【００４３】
例えば、ユーザがＦＡＸ番号として、例えばＲＲＲＲＲＲＲを入力した場合には、ステップ３０６での処理によって、図６（Ａ）に示すように、Ｕ／Ｉ１２には、「入力したＦＡＸ番号（ＲＲＲＲＲＲＲ）は、過去に宛先表に登録されていましたが、現在は宛先表から削除されています。次の操作を選択してください。」というメッセージ６０が表示されると共に、入力したＦＡＸ番号を用いてＦＡＸ送信を行う指示を入力するための「このままのＦＡＸ番号を指定する」と表示されたボタン６１、及び入力したＦＡＸ番号を取り消してＦＡＸ送信を中止する指示を入力するための「入力したＦＡＸ番号を取り消す」と表示されたボタン６２が表示される。これらのボタン６１及び６２はユーザによって押下されることにより、各々対応する指示を出力する。
【００４４】
一方、ステップ３０４で、レコード５１が存在しないと判定された場合には、次のステップ３１０で、変更用テーブル４０の各レコード４１を検索して、受信したＦＡＸ番号と一致するＦＡＸ番号がフィールド４６に登録されているレコード４１が存在するか否かを判定する。
【００４５】
ステップ３１０で、レコード４１が存在すると判定された場合には、次のステップ３１２で、受信したＦＡＸ番号、並びにステップ３１０において存在すると判定されたレコード４１のフィールド４６に登録された変更前のＦＡＸ番号、及びフィールド４４に登録された変更後のＦＡＸ番号のうち、いずれのＦＡＸ番号を用いて送信するのかを選択可能な画面がＵ／Ｉ１２に表示されるように、Ｕ／Ｉ１２のＬＣＤを制御する。そして、次のステップ３０８に進む。
【００４６】
例えば、ユーザがＦＡＸ番号として、例えばＸＸＸＸＸＸＸを入力した場合には、ステップ３１２での処理によって、図６（Ｂ）に示すように、Ｕ／Ｉ１２には、「入力したＦＡＸ番号（ＸＸＸＸＸＸＸ）は、過去に宛先表に登録されていましたが、現在は変更されています。
短縮番号：＃＃＃  現在登録されているＦＡＸ番号：ＹＹＹＹＹＹＹ
次の操作を選択してください。」というメッセージ７０、入力したＦＡＸ番号７３、現在宛先表に登録されている変更後のＦＡＸ番号７４が表示されると共に、ＦＡＸ番号７３に対応するように、入力したＦＡＸ番号７３を用いてＦＡＸ送信を行う指示を入力するための「このままのＦＡＸ番号を指定する」と表示されたボタン７１、ＦＡＸ番号７４に対応するように、ＦＡＸ番号７４を用いてＦＡＸ送信を行う指示を入力するための「現在宛先表に登録されているＦＡＸ番号を指定する」と表示されたボタン７５、及び入力したＦＡＸ番号を取り消してＦＡＸ送信を中止する指示を入力するための「入力したＦＡＸ番号を取り消す」と表示されたボタン７２が表示される。これらのボタン７１、７２及び７５はユーザによって押下されることにより、各々対応する指示を出力する。
【００４７】
次のステップ３０８では、上記で説明したボタン６１、６２、７１、７２、または７５を押下したことによる指示を受信したか否かを判定し、受信したと判定されると次のステップ３１４で、受信した指示に対応する処理を行う。
【００４８】
ステップ３１４では、例えば、ボタン６１またはボタン７１がユーザにより押下されたことにより、入力したＦＡＸ番号を用いてＦＡＸ送信を行う指示を受信した場合には、入力されたＦＡＸ番号を用いて、スキャナ１４から入力された画像データを電話回線２２を介してＦＡＸ送信する。また、ボタン６２またはボタン７２がユーザにより押下されたことにより、入力したＦＡＸ番号を取り消してＦＡＸ送信を中止する指示を受信した場合には、ＦＡＸ送信を中止する。また、ボタン７５がユーザにより押下されたことにより、現在宛先表３４に登録されている変更後のＦＡＸ番号を用いてＦＡＸ送信を行う指示を受信した場合には、現在宛先表３４に登録されている変更後のＦＡＸ番号を用いて、スキャナ１４から入力された画像データを電話回線２２を介してＦＡＸ送信する。そして、本ＦＡＸ送信処理を終了する。
【００４９】
一方、ステップ３１０で、レコード４１が存在しないと判定された場合には、次のステップ３１６で、入力されたＦＡＸ番号を用いて、スキャナ１４から入力された画像データを電話回線２２を介してＦＡＸ送信する。そして、本ＦＡＸ送信処理を終了する。
【００５０】
以上、説明したように、本実施の形態の複合機では、ＨＤＤ２０ｂに記憶された宛先表３４に登録されているＦＡＸ番号が変更されたときに、変更前のＦＡＸ番号を変更用テーブル４０に登録することにより、変更前のＦＡＸ番号がＨＤＤ２０ｂに記憶される。また、本実施の形態の複合機では、ＨＤＤ２０ｂに記憶された宛先表３４に登録されているＦＡＸ番号が削除されたときに、削除されたＦＡＸ番号を削除用テーブル５０に登録することにより、削除されたＦＡＸ番号がＨＤＤ２０ｂに記憶される。
【００５１】
たとえば、上記した実施の形態のように変更用テーブル４０及び削除用テーブル５０をそれぞれ別なテーブルとして管理するのではなく、編集結果テーブルというひとつのテーブルによって管理することも可能であり、そのような場合には、編集が削除なのか、変更なのかを表す編集属性という項目を編集結果テーブルに設けて、編集前のＦＡＸ番号、すなわち削除前のＦＡＸ番号や変更前のＦＡＸ番号に関連付けて記憶することで、ひとつのテーブルを用いた管理ができるようにしてもよい。
【００５２】
なお、ＣＰＵ２０ｃが制御処理、ＦＡＸ送信処理、及びＦＡＸ番号変更／削除処理を実施する例について説明したが、ユーザがＵ／Ｉ１２を操作して、ＨＤＤ２０ｂの記憶されている内容を表示する指示をＣＰＵ２０ｃが受信した場合には、ＣＰＵ２０ｃはＨＤＤ２０ｂに記憶されている宛先表３４の内容、変更用テーブル４０の内容、及び削除用テーブル５０の内容の少なくとも１つがＵ／Ｉ１２に表示されるように、Ｕ／Ｉ１２のＬＣＤを制御するようにしてもよい。
【００５３】
尚、本実施の形態を実現するプログラムは、通信手段により提供することはもちろん、ＣＤ−ＲＯＭ等の記録媒体に格納して提供するようにしてもよい。
【００５４】
また、本実施の形態では、本発明を、ＦＡＸ番号が登録された宛先表を備え、この宛先表を用いて、及び直接ＦＡＸ番号を入力してＦＡＸ送信処理を行う複合機に適用した例について説明したが、メールアドレスが登録されたアドレス帳を備え、このアドレス帳を用いて、及びメールアドレスを直接入力してメール送信処理を行うメール送信装置に適用してもよい。また、同様に、電話番号が登録された電話番号アドレスを備え、この電話番号アドレスを用いて、及び電話番号を直接入力して、他の装置との通信を行う固定電話や携帯電話に適用してもよい。
【図面の簡単な説明】
【００５５】
【図１】本実施の形態の複合機の概略図である。
【図２】本実施の形態における複合機が記憶する内容の概略図である。
【図３】本実施の形態における複合機が実行する制御処理の処理ルーチンのフローチャートを示す図である。
【図４】本実施の形態における複合機が実行するＦＡＸ番号変更／削除処理の処理ルーチンのフローチャートを示す図である。
【図５】本実施の形態における複合機が実行するＦＡＸ送信処理の処理ルーチンのフローチャートを示す図である。
【図６】本実施の形態における複合機に表示される表示内容の一例を示す図である。
【符号の説明】
【００５６】
１０      複合機
１２      Ｕ／Ｉ
１４      スキャナ
１６      画像形成部
１８      ＦＡＸ部
２０      制御装置
２０ｂ    ＨＤＤ
２０ｃ    ＣＰＵ
【図１】
0004998205.tif 000002
【図２】
0004998205.tif 000003
【図３】
0004998205.tif 000004
【図４】
0004998205.tif 000005
【図５】
0004998205.tif 000006
【図６】
0004998205.tif 000007